(57)【要約】      （修正有）【課題】生体情報を検証することで、患者の生活指導に役立つ、生体情報分析方法及び生体情報分析装置を提供する。【解決手段】生体情報分析装置１０４は、血糖計１０１が測定した測定日時を伴う血糖値を受信して、測定値テーブルに記憶する。また、患者が手書きにて血糖値を記入したノート１０３をスキャナ１０５で読み込み、文字認識部によって文字認識した結果であるスキャンデータを記憶する。次に、測定日と時間帯種別毎に測定値テーブルとスキャンデータを突き合わせ、スキャンデータの、ノート１０３に血糖値が記入されていないレコード、ノート１０３に記入された血糖値が一致しているレコード、ノート１０３に記入された血糖値が一致していないレコードを特定する。そして、未記入のレコード数から未記入率を算出し、不一致のレコード数から不一致率を算出し、表示部１０７に表示させる。【選択図】図１
2015191257.tif 000002
【特許請求の範囲】
【請求項１】
生体情報測定装置が患者から測定した、測定日時を伴う第一生体情報のレコードを複数含む測定値テーブルから所定の期間の範囲だけ取得する測定生体情報取得ステップと、
前記患者が記入した測定日および時間帯種別を伴う第二生体情報が記載されている文書を読み取り、文字認識処理を経て前記第二生体情報のレコードを複数含むスキャンデータを取得する手書き生体情報取得ステップと、
前記測定値テーブルと前記スキャンデータとを比較して、前記第一生体情報に記録があり前記第二生体情報に記録がない未記入状態のレコードを探す、未記入レコード検出ステップと
を有する、生体情報分析方法。
【請求項２】
更に、
前記測定値テーブルと前記スキャンデータとを比較して、前記第一生体情報及び前記第二生体情報の記録がありながら前記第一生体情報と前記第二生体情報の値が異なる不一致状態のレコードを探す、不一致レコード検出ステップと
を有する、請求項１に記載の生体情報分析方法。
【請求項３】
更に、
前記未記入状態のレコードの数を計数して、未記入率を算出し、前記不一致状態のレコードの数を計数して、不一致率を算出し、表示部に前記未記入率及び不一致率を表示する、未記入率不一致率表示ステップと
を有する、請求項２に記載の生体情報分析方法。
【請求項４】
患者から測定した、測定日時を伴う第一生体情報のレコードを複数含む測定値テーブルと、前記患者が記入した測定日および時間帯種別を伴う第二生体情報が記載されている文書を読み取り、文字認識処理を経て前記第二生体情報のレコードを複数含むスキャンデータとを格納する不揮発性ストレージと、
前記測定値テーブルと前記スキャンデータとを比較して、前記第一生体情報に記録があり前記第二生体情報に記録がない未記入状態のレコードを探して、前記レコードに所定の情報を付加する入出力制御部と
を具備する、生体情報分析装置。
【請求項５】
前記入出力制御部は更に、前記測定値テーブルと前記スキャンデータとを比較して、前記第一生体情報及び前記第二生体情報の記録がありながら前記第一生体情報と前記第二生体情報の値が異なる不一致状態のレコードを探して、前記レコードに所定の情報を付加する、
請求項４に記載の生体情報分析装置。
【請求項６】
更に、
表示部と
を備え、
前記入出力制御部は更に、前記未記入状態のレコードの数を計数して、未記入率を算出し、前記不一致状態のレコードの数を計数して、不一致率を算出し、前記表示部に前記未記入率及び不一致率を表示する、請求項５に記載の生体情報分析装置。
【発明の詳細な説明】
【技術分野】
【０００１】
本発明は、患者の生体情報を分析する、生体情報分析方法及び生体情報分析装置に関する。
【背景技術】
【０００２】
近年、急速に患者数が上昇している糖尿病は、膵臓のインスリン分泌異常やインスリンに対する感受性低下に起因する。
糖尿病を治療する上で、合併症の発症や進行の阻止は重要であり、そのためには血糖値を正常にコントロールすることが不可欠である。そのため、家庭内で患者自らあるいはその家族が血糖値を簡便に測定するための血糖測定装置（血糖計）が開発され、出願人は、小型で自己測定を目的とした血糖計を開発している。
なお、出願人による血糖計に関する特許出願を、特許文献１に示す。
【０００３】
糖尿病患者は日常生活において常に自らの血糖値を適正範囲内に管理しなければならない。また、定期的に病院に通院して、血糖値の計測結果を医師に報告し、生活指導を受ける必要がある。特に、薬物を用いた治療を行っている患者に対しては、医師が合併症等を防ぐためにも血糖値を正常にコントロールする観点から、１日に複数回の血糖値の測定を推奨している。とりわけ、ＩＤＦ（国際糖尿病学会）のガイドラインにおいては、食後の血糖値が合併症のリスクと関連しているとし、食後の血糖値の測定を特に推奨している。
【先行技術文献】
【特許文献】
【０００４】
【特許文献１】特開２０１１−６４５９６号公報
【発明の概要】
【発明が解決しようとする課題】
【０００５】
現在、血糖値の自己管理を促す目的で、病院に通院する糖尿病患者に対し、患者に患者専用の血糖計を持たせた上で、家庭にて血糖値を測定させ、その血糖値測定結果を手書きでノートに記載させ、診察時に持参させる場合がある。
【０００６】
患者の中には、診察時に医師から怒られたくないという思いなどから、手書きノートに実際の測定結果と異なる値を記載するケースが見受けられる。また、記載漏れや記載ミスのケースもある。このように不正確な血糖値の記載は、医師の患者指導に影響を与える。
【０００７】
本発明はかかる点に鑑みてなされたものであり、生体情報を検証することで、患者の生活指導に役立つ、生体情報分析方法及び生体情報分析装置を提供することを目的とする。
【課題を解決するための手段】
【０００８】
上記課題を解決するために、本発明の生体情報分析方法は、生体情報測定装置が患者から測定した、測定日時を伴う第一生体情報のレコードを複数含む測定値テーブルから所定の期間の範囲だけ取得する測定生体情報取得ステップと、患者が記入した測定日および時間帯種別を伴う第二生体情報が記載されている文書を読み取り、文字認識処理を経て第二生体情報のレコードを複数含むスキャンデータを取得する手書き生体情報取得ステップとを有する。更に、測定値テーブルとスキャンデータとを比較して、第一生体情報に記録があり第二生体情報に記録がない未記入状態のレコードを探す、未記入レコード検出ステップとを有する。
【発明の効果】
【０００９】
本発明により、生体情報を検証することで、患者の生活指導に役立つ、生体情報分析方法及び生体情報分析装置を提供できる。
【図面の簡単な説明】
【００１０】
【図１】本発明の実施形態の例である生体情報分析装置の、使用状況を示す概略図である。
【図２】血糖計のハードウェア構成を示すブロック図と、ソフトウェア機能を示すブロック図と、血糖計が無線インターフェースを通じて生体情報分析装置に送信するデータの構造を示す概略図である。
【図３】生体情報分析装置のハードウェア構成を示すブロック図と、ソフトウェア機能を示すブロック図である。
【図４】生体情報分析装置が備えるテーブルのフィールド構成を示す図である。
【図５】生体情報分析装置の全体的な動作の流れを説明するフローチャートである。
【図６】特徴点特定処理の動作の流れを説明するフローチャートである。
【図７】スキャンデータと測定値テーブルの対応関係を示す一例である。
【図８】生体情報分析装置の表示部に表示される画面イメージである。
【発明を実施するための形態】
【００１１】
本発明の生体情報分析装置の実施形態の例（以下「本実施形態」という）の概略を説明する。
血糖計は、近距離無線インターフェース等の通信手段を有し、患者が測定した血糖値を記憶している。つまり、血糖計は手書きノートに記載されている血糖値よりも正確な血糖値を記憶している。
そこで、手書きノートのイメージをスキャナで生体情報管理ソフトウェアが稼働するパソコン（生体情報分析装置）に取り込み、文字認識処理を施して、血糖計から直接取り込んだデータと比較する。そして生体情報分析装置が、血糖値の不一致や、手書きノートの未記入率を表示部に表示することにより、患者の生活習慣指導に役立てる。
本発明の目的は、正確な血糖値を読み取ることではない。正確な血糖値は血糖計から直接読み取ることができる。本発明の真の目的は、患者の自己管理意識、すなわちモチベーションを、手書きノートの記入状況から類推することである。
【００１２】
［全体構成］
図１は、本発明の実施形態の例である生体情報分析装置の、使用状況を示す概略図である。
ある患者は、血糖計１０１を用いて日々の血糖値を自ら測定する。図２で後述するが、血糖計１０１は日時情報を出力するリアルタイムクロック（Real Time Clock：ＲＴＣ）を内蔵し、測定した血糖値に、測定日時を紐付けて記憶する。一方、患者は血糖計１０１の表示部１０２に表示された、測定した血糖値を、日付と時間帯種別と共に、ノート１０３に記入する。
後日、患者は血糖計１０１とノート１０３を持参して、医師の診断を受ける。医師のパソコンには生体情報管理ソフトウェアが稼働しており、生体情報分析装置１０４を構成している。生体情報分析装置１０４は、ノート１０３をスキャナ１０５で読み込み、血糖計１０１のデータを無線インターフェース１０６で読み取り、ノート１０３に記載されている血糖値が正しいか否か、また未記入箇所がどれだけあるかを検証し、表示部１０７に表示する。
【００１３】
［血糖計１０１］
図２Ａは血糖計１０１のハードウェア構成を示すブロック図である。
血糖計１０１は、ＣＰＵ２０１、ＲＯＭ２０２、ＲＡＭ２０３、ＲＴＣ２０４、液晶ディスプレイである表示部１０２、操作ボタンである操作部２０５がバス２０６に接続される、周知のマイクロコンピュータよりなる機器である。
バス２０６には更に、Ａ／Ｄ変換器２０７が接続されている。Ａ／Ｄ変換器２０７には増幅器２０８を通じて光学センサ２０９が接続されている。
バス２０６には更に、無線インターフェース２１０（図２Ａ及び図２Ｂ中「無線Ｉ／Ｆ」と表記）が接続されている。
【００１４】
図２Ｂは血糖計１０１のソフトウェア機能を示すブロック図である。
フォトトランジスタ等の光学センサ２０９は、患者の血糖値を検出して、アナログ信号を出力する。光学センサ２０９はアナログの電圧信号あるいは電流信号を出力する。光学センサ２０９が出力する信号が電流信号である場合は、一旦抵抗やオペアンプで電流信号を電圧信号に変換し、電圧信号である場合はそのまま、増幅器２０８で増幅する。そして、増幅器２０８が出力する電圧信号は、Ａ／Ｄ変換器２０７によってデジタルデータの測定情報に変換される。
【００１５】
入出力制御部２１１は、Ａ／Ｄ変換器２０７から得られる測定情報に所定の演算処理を施して、血糖値に変換する。そして、得られた血糖値にＲＴＣ２０４から得られる測定日時を紐付けて、測定値メモリ２１２に記憶する。そして、ＲＯＭ２０２に格納されている血糖計１０１の名称やシリアルナンバーである機器情報２１３を付加し、無線インターフェース２１０を通じて無線インターフェース１０６へ送信する。
【００１６】
測定値メモリ２１２は不揮発性ストレージに設けられる記憶領域である。この記憶領域は、フラッシュメモリのＲＯＭ２０２であってもよいし、バッテリバックアップされたＲＡＭ２０３であってもよい。
【００１７】
図２Ｃは血糖計１０１が無線インターフェース２１０を通じて生体情報分析装置１０４に送信するデータの構造を示す概略図である。
血糖計１０１は最初に、機器情報２１３として血糖計１０１のモデル名２１３ａと、シリアルナンバー２１３ｂを無線インターフェース１０６へ送信する。その後、測定日時２１４と血糖値２１５と食後フラグ２１６よりなるレコード２１７を順番に無線インターフェース１０６へ送信する。
食後フラグ２１６は、測定した血糖値２１５が食前の血糖値であるのか、あるいは食後の血糖値であるのかを識別するためのフラグ情報である。
【００１８】
［生体情報分析装置１０４］
図３Ａは生体情報分析装置１０４のハードウェア構成を示すブロック図である。
パソコンである生体情報分析装置１０４は、周知のＣＰＵ３０１、ＲＯＭ３０２、ＲＡＭ３０３、ハードディスク装置等の不揮発性ストレージ３０４、表示部１０７、操作部３０５がバス３０６に接続される。
バス３０６には更に、ＵＳＢインターフェース３０７を介して無線インターフェース１０６とスキャナ１０５が接続されている。
スキャナ１０５は手書き文字が記入されているノート１０３の紙面を読み取ってイメージデータを生成する、周知の光学読み取り装置である。また、スキャナ１０５に代えてデジタルカメラを用いてもよい。
【００１９】
図３Ｂは生体情報分析装置１０４のソフトウェア機能を示すブロック図である。
入出力制御部３１１は、無線インターフェース１０６を通じて血糖計１０１から受信した血糖値を、一旦、測定値テーブル３１２に蓄積する。また、入出力制御部３１１は、スキャナ１０５が生成し画像データを文字認識部３１３が変換した文字情報を、スキャンデータ３１４に格納する。
そして、操作部３０５の操作を受けて、測定値テーブル３１２に蓄積された情報と、スキャンデータ３１４とを比較検証する。そして、検証結果を表示部１０７に表示する。
【００２０】
血糖値を測定値テーブル３１２に記憶する際には、血糖値が誰のものなのかを特定する必要がある。血糖値と患者ＩＤを紐付けるための方法は幾つか考えられるが、本実施形態の生体情報分析装置１０４は、患者マスタ３１５に、血糖計１０１のシリアルナンバー２１３ｂを記憶させている。
【００２１】
図４は、生体情報分析装置１０４が備えるテーブルのフィールド構成を示す図である。これらのテーブルは、不揮発性ストレージ３０４に格納されている。
患者マスタ３１５は、患者ＩＤフィールドと、患者氏名フィールドと、生年月日フィールドと、性別フィールドと、患者固有情報フィールドと、シリアルナンバーフィールド等よりなる。
患者ＩＤフィールドには、患者を一意に識別する患者ＩＤが格納されている。患者氏名フィールドには、患者の氏名が格納されている。生年月日フィールドには、患者の生年月日が格納されている。性別フィールドには、患者の性別が格納されている。
患者固有情報フィールドには、後述する第一の生体情報における閾値等が格納されている。
そして、患者ＩＤと血糖値を紐付ける手がかりとして、患者が所有する血糖計１０１のシリアルナンバー２１３ｂを格納する、シリアルナンバーフィールドを設けている。
【００２２】
測定値テーブル３１２は、患者ＩＤフィールドと、測定値種別フィールドと、測定日時フィールドと、測定値フィールドと、時間帯種別フィールドと、判定結果フィールドよりなる。
患者ＩＤフィールドは、患者マスタ３１５の同名のフィールドと同じである。
測定値種別フィールドには、測定値の種別を示す情報が格納されている。測定値の種別とは、例えば「血糖値」、「体温」、「歩数」、「体重」等の、その測定値が何の測定値であるのかを示す識別情報である。
測定日時フィールドには、測定値が測定された日時情報が格納されている。
測定値フィールドには、測定値、すなわち血糖計１０１が測定した血糖値が格納されている。
【００２３】
時間帯種別フィールドには、測定値種別フィールドの値が「血糖値」である場合において、血糖値を測定した時間が「起床時」、「朝食前」、「朝食後」、「昼食前」、「昼食後」、「夕食前」、「夕食後」、「就寝前」の何れかであるのかを示す識別情報が格納される。このフィールドは、測定日時フィールドに記されている時間と、血糖計１０１から受信したデータに含まれている食後フラグに基づいて、入出力制御部３１１が、書き込む識別情報を決定する。例えば、午前３時から午前６時までの血糖値は「起床時」、午前６時から午前１０時までの血糖値は「朝食前」、午前１０時から午後４時までの血糖値は「昼食前」、午後４時から午後９時までの血糖値は「夕食前」、午後９時から午前３時までの血糖値は「就寝前」とする。そして、食後フラグが「食後」を示している場合のみ、「朝食前」、「昼食前」及び「夕食前」を、「朝食後」、「昼食後」及び「夕食後」に変換する。
【００２４】
判定結果フィールドは、スキャンデータ３１４との照合の結果、患者が持参したノート１０３に記入されている血糖値が正しいか否か等を示す判定結果が格納される。判定結果は、「ＯＫ」、「ＮＧ」、「ＮＯＤＡＴＡ」、「ＩＧＮＯＲＥ」の四種類である。判定結果フィールドに記録する実データは、文字列であっても数値であってもよい。これら判定結果の詳細は図７にて後述する。
測定値テーブル３１２は、患者ＩＤフィールドと測定値種別フィールドとを有することで、複数の患者の、複数種類の生体情報を格納できる仕様になっている。生体情報分析装置１０４は、血糖計１０１に限らず、体温計や体組成計等の様々な装置が測定する生体情報を格納し、管理することができる。
【００２５】
機器マスタ３１６は、モデル名フィールドと、測定値種別フィールドよりなる。
モデル名フィールドには、血糖計１０１のモデル名２１３ａが格納されている。
測定値種別フィールドは、測定値テーブル３１２の同名フィールドと同じである。
【００２６】
スキャンデータ３１４は、測定日フィールドと、時間帯種別フィールドと、測定値フィールドよりなる。
測定日フィールドには、血糖値を測定した日が格納されている。
時間帯種別フィールドは、測定値テーブル３１２の同名フィールドと同じである。
測定値フィールドは、測定値テーブル３１２の同名フィールドと同じである。
【００２７】
［生体情報分析装置１０４の動作］
これより、生体情報分析装置１０４の動作を説明する。
図５は、生体情報分析装置１０４の全体的な動作の流れを説明するフローチャートである。
処理を開始すると（Ｓ５０１）、先ず、生体情報分析装置１０４の入出力制御部３１１は、血糖計１０１から無線インターフェースを通じてデータを受信して、測定値テーブル３１２に格納する。また、ノート１０３をスキャナ１０５に読み込ませ、文字認識部３１３によって文字データに変換して、スキャンデータ３１４に格納する（Ｓ５０２）（手書き生体情報取得ステップ）。この時、入出力制御部３１１は、データの取り込みに伴い、付帯的な処理を行う。例えば、患者が未登録であった場合には、患者マスタに新規レコードを追記録する。また、文字認識部３１３の処理が異常終了して、スキャンデータ３１４が正常に取得できなかった場合には、所定のエラーメッセージを表示部１０７に表示して、処理を中断する等である。
更に入出力制御部３１１は、血糖計１０１からデータを受信して測定値テーブル３１２に登録する際、測定日時と食後フラグを参照して、時間帯種別フィールドに識別情報を記録する。
【００２８】
次に、入出力制御部３１１は、測定値テーブル３１２に対して、絞り込み検索を行う（Ｓ５０３）（測定生体情報取得ステップ）。具体的には、血糖計１０１のシリアルナンバーから特定した患者ＩＤと、血糖計１０１から受信したデータの測定日時の範囲にて、測定値テーブル３１２の絞り込み検索を行うことで、測定値テーブル３１２からスキャンデータ３１４の検証対象となるレコードを特定する。
次に、入出力制御部３１１は、測定値テーブル３１２とスキャンデータ３１４とのデータ照合処理を実行して（Ｓ５０４）、一連の処理を終了する（Ｓ５０５）。
【００２９】
図６は、図５のステップＳ５０４における、データ照合処理の動作の流れを説明するためのフローチャートである。
処理を開始すると（Ｓ６０１）、入出力制御部３１１は最初に、内部のカウンタ変数ｉを１に初期化する（Ｓ６０２）。
次に、入出力制御部３１１は、測定値テーブル３１２のｉ番目のレコードと、ｉ＋１番目のレコードの、測定日時と時間帯種別を見る。そして、ｉ番目のレコードと、ｉ＋１番目のレコードの、測定日と時間帯種別が異なるか否かを確認する（Ｓ６０３）。もし、測定日と時間帯種別が同じならば（Ｓ６０３のＮＯ）、ｉ＋１番目のレコードは、患者が血糖値の再測定を行った結果であることが判る。そこで入出力制御部３１１は、ｉ番目のレコードと、ｉ＋１番目のレコードを、スキャンデータ３１４の比較対象として、同一のものとみなす（Ｓ６０４）。そして、カウンタ変数ｉを１インクリメントして（Ｓ６０５）、再びステップＳ６０３から、処理を繰り返す。
【００３０】
ステップＳ６０３において、ｉ番目のレコードと、ｉ＋１番目のレコードが異なる測定日、または異なる時間帯種別であるならば（Ｓ６０３のＹＥＳ）、入出力制御部３１１は次に、ｉ番目のレコードの測定日と時間帯種別のレコードがスキャンデータ３１４に存在するか否かを確認する（Ｓ６０６）。もし、ｉ番目のレコードの測定日と時間帯種別のレコードがスキャンデータ３１４に存在しないならば（Ｓ６０６のＮＯ）、入出力制御部３１１はｉ番目のレコードの判定結果フィールドに、判定結果として「ＮＯＤＡＴＡ」を記録する（Ｓ６０７）（未記入レコード検出ステップ）。
ｉ番目のレコードの測定日と時間帯種別のレコードがスキャンデータ３１４に存在するならば（Ｓ６０６のＹＥＳ）、入出力制御部３１１は次に、ｉ番目のレコードの測定値は当該スキャンデータ３１４の測定値と合致するか否かを確認する（Ｓ６０８）。もし、ｉ番目のレコードの測定値が当該スキャンデータ３１４の測定値と合致しないならば（Ｓ６０８のＮＯ）、入出力制御部３１１はｉ番目のレコードの判定結果フィールドに、判定結果として「ＮＧ」を記録する（Ｓ６０９）（不一致レコード検出ステップ）。
ｉ番目のレコードの測定値が当該スキャンデータ３１４の測定値と合致するならば（Ｓ６０８のＹＥＳ）、入出力制御部３１１はｉ番目のレコードの判定結果フィールドに、判定結果として「ＯＫ」を記録する（Ｓ６１０）。
【００３１】
ステップＳ６０７、Ｓ６０９及びＳ６１０の何れの場合でも、次に入出力制御部３１１はカウンタ変数ｉを１インクリメントする（Ｓ６１１）。そして入出力制御部３１１は、測定値テーブル３１２にｉ番目レコードが存在しないか否かを確認する（Ｓ６１２）。まだｉ番目レコードが存在するならば（Ｓ６１２のＮＯ）、入出力制御部３１１はステップＳ６０３から再び処理を繰り返す。
ステップＳ６１２において、測定値テーブル３１２にｉ番目レコードが存在しないならば（Ｓ６１２のＹＥＳ）、入出力制御部３１１は表示部１０７に測定値テーブル３１２とスキャンデータ３１４を並べて表示させて（Ｓ６１３）（未記入率不一致率表示ステップ）、一連の処理を終了する（Ｓ６１４）。
【００３２】
図７は、スキャンデータ３１４と測定値テーブル３１２の対応関係を示す一例である。
図６のフローチャートでは、入出力制御部３１１が測定値テーブル３１２のレコードを１番目から順番に見ていき、測定日と時間帯種別が等しいレコードがスキャンデータ３１４に存在するか否か（Ｓ６０６）、存在する場合、測定値が等しいか否か（Ｓ６０８）を確認して、その判定結果を判定結果フィールドに記録する。またその際、測定値テーブル３１２内で測定日と時間帯種別が等しいレコード同士（Ｓ６０３のＮＯ）は、スキャンデータ３１４との比較の際に同時に比較対象とする（Ｓ６０４）。
【００３３】
図７において、測定値テーブル３１２の３番目レコードは、測定日時が「２０１３年３月４日６時３０分」であり、時間帯種別が「朝前」である。測定値テーブル３１２の４番目レコードは、測定日時が「２０１３年３月４日６時３５分」であり、時間帯種別が「朝前」である。すなわち、測定値テーブル３１２の３番目レコードと４番目レコードは、測定日と時間帯種別が等しい「２０１３年３月４日の朝前」のレコードである。そこで入出力制御部３１１は、３番目レコードと４番目レコードについては、スキャンデータ３１４との比較の際に、同じ比較対象として取り扱う。
【００３４】
次に、入出力制御部３１１は、スキャンデータ３１４に、測定値テーブル３１２の３番目レコードと４番目レコードと同じ「２０１３年３月４日の朝前」のレコードがあるか否かを確認する。すると、スキャンデータ３１４の１番目レコードが「２０１３年３月４日の朝前」である。そこで入出力制御部３１１は、測定値テーブル３１２の３番目レコードと４番目レコードの何れか一方あるいは両方に、測定値が同じものがあるか否かを確認する。スキャンデータ３１４の１番目レコードの測定値は「１２０」である。一方、測定値テーブル３１２の３番目レコードの測定値は「１２３」であり、スキャンデータ３１４の１番目レコードの測定値と異なるが、４番目レコードの測定値は「１２０」であり、スキャンデータ３１４の１番目レコードの測定値と等しい。
このように、測定値テーブル３１２とスキャンデータ３１４の、測定日と時間帯種別が同じレコード同士で、測定値が同じレコードが測定値テーブル３１２に存在する場合は、患者は血糖計１０１の測定値を正直にノート１０３に記載したものと判断し、当該レコード（この場合は４番目レコード）の判定結果フィールドに判定結果として「ＯＫ」を記録する。そして、測定値テーブル３１２の、４番目レコードと測定日と時間帯種別が同じである３番目レコードの判定結果フィールドには、判定結果として判定の対象外とする「ＩＧＮＯＲＥ」を記録する。
【００３５】
また、図７において、測定値テーブル３１２の６番目レコードは、測定日時が「２０１３年３月４日１０時００分」であり、時間帯種別が「昼前」である。
次に入出力制御部３１１は、スキャンデータ３１４に、測定値テーブル３１２の６番目レコードと同じ「２０１３年３月４日の昼前」のレコードがあるか否かを確認する。すると、スキャンデータ３１４の３番目レコードが「２０１３年３月４日の昼前」である。ところが、スキャンデータ３１４の３番目レコードの測定値フィールドは空欄である。そこで入出力制御部３１１は、患者は血糖計１０１の測定値をノート１０３に記載していないものと判断し、当該レコード（この場合は６番目レコード）の判定結果フィールドに判定結果として「ＮＯＤＡＴＡ」を記録する。
【００３６】
また、図７において、測定値テーブル３１２の９番目レコードは、測定日時が「２０１３年３月４日１７時００分」であり、時間帯種別が「夕前」である。
次に入出力制御部３１１は、スキャンデータ３１４に、測定値テーブル３１２の９番目レコードと同じ「２０１３年３月４日の夕前」のレコードがあるか否かを確認する。すると、スキャンデータ３１４の５番目レコードが「２０１３年３月４日の夕前」である。スキャンデータ３１４の５番目レコードの測定値は「１２４」である。一方、測定値テーブル３１２の９番目レコードの測定値は「１３２」であり、スキャンデータ３１４の５番目レコードの測定値とは大きく異なる。そこで入出力制御部３１１は、患者は虚偽の測定値をノート１０３に記載したものと判断し、当該レコード（この場合は９番目レコード）の判定結果フィールドに判定結果として「ＮＧ」を記録する。
【００３７】
図７には図示されていないが、測定値テーブル３１２に測定日と時間帯種別が同じ複数のレコードが存在し、スキャンデータ３１４にもこれと同じ測定日と時間帯種別のレコードが存在するものの、測定値テーブル３１２の何れのレコードも、スキャンデータ３１４のレコードの測定値と一致しない場合もあり得る。このような場合は、測定値テーブル３１２の最も測定値が小さいレコードに判定結果として「ＮＧ」を記録し、その他のレコードは「ＩＧＮＯＲＥ」を記録する。
【００３８】
判定結果フィールドは測定値テーブル３１２に設けられているが、これは測定値テーブル３１２にあってもスキャンデータ３１４には該当するレコードがない（「ＮＯＤＡＴＡ」）場合を表現するためである。スキャンデータ３１４に判定結果フィールドを設けると、「ＮＯＤＡＴＡ」フィールドを設けるためにはわざわざ空のレコードを挿入しなくてはならなくなる。
【００３９】
なお、スキャンデータ３１４と測定値テーブル３１２との間における、測定値の一致の判定は、所定のマージンを付与してもよい。例えば、測定値テーブル３１２の測定値フィールドに記録されている血糖値の±３％迄を許容範囲とする、等である。
【００４０】
［画面イメージ］
図８は、生体情報分析装置１０４の表示部１０７に表示される画面イメージである。
図８において、画面左側の第一領域Ａ８０１には、スキャンデータ３１４の内容が表示される。画面右側の第二領域Ａ８０２には、測定値テーブル３１２の内容が表示される。縦方向には測定日、横方向には時間帯種別にて表を作成し、第一領域Ａ８０１には文字認識部３１３によって読み取った血糖値、第二領域Ａ８０２には血糖計１０１によって測定された血糖値が表示される。
図６及び図７の説明から判るように、本実施形態の生体情報分析装置１０４は、測定値テーブル３１２を基準として、スキャンデータ３１４に血糖値の未記入と不一致を明示する。したがって、測定値テーブル３１２にデータがない場合、血糖値の測定をしていないので、スキャンデータ３１４の該当する欄も当然空欄になる。これは未記入でもなければ不一致でもない。
【００４１】
第一領域Ａ８０１において、測定値テーブル３１２にデータがなく血糖値の記入がない箇所と、血糖値が不一致である箇所は、それぞれ異なる色で色分け表示されている。
また、生体情報分析装置１０４は、未記入のレコード数から未記入率を算出し、不一致のレコード数から不一致率を算出し、それぞれ画面左下に表示している。これは、測定値テーブル３１２のレコード数から、判定結果が「ＩＧＮＯＲＥ」のレコード数を差し引いた上で、全レコード中の「ＮＯＤＡＴＡ」の率を未記入率、「ＮＧ」の率を不一致率とする。
この、未記入率と不一致率が、患者の生活習慣におけるモチベーションを間接的に表している。血糖値の大小は数値で見られるが、それよりもむしろ、図８の表示画面では、未記入率と不一致率こそが大きな意味を持つ。医師はこれらの数値を見ることで、患者の意識に応じた生活指導をどう行うべきかを判断することができる。
【００４２】
本実施形態は、以下の様な応用例が可能である。
（１）生体情報分析装置１０４の表示部１０７には、血糖値に限らず、体重や血圧等の、他の生体情報についても同様の分析を行ってもよい。
（２）測定値テーブル３１２のフィールド構造は、必ずしも図５に示した例に限られない。時間帯種別フィールドと判定結果フィールドを別のテーブルに設けてもよい。
（３）また、測定値テーブル３１２とスキャンデータ３１４との検証方法は、図５及び図６のフローチャートに限られない。図５のステップＳ５０３にて、測定値テーブル３１２を絞り込み検索する以外に、測定値テーブル３１２から検索した結果を、一時ファイルに書き出す方法もある。その際、測定値テーブル３１２には時間帯種別フィールドと判定結果フィールドを設けず、一時ファイルに設ける構成にすることも考えられる。
【００４３】
（４）近年のデスクトップ型パソコンは、複数のディスプレイを接続する形態が多く見受けられる。そこで、患者に対する指導において、患者に対する精神的負担を軽減するため、医師のみが閲覧できる第一のディスプレイには、図８の表示画面を表示し、医師と患者が見ることのできる第二のディスプレイには、測定値テーブル３１２の内容と未記入率と不一致率を表示しない表示画面を表示することが望ましい。
【００４４】
本実施形態においては、生体情報分析装置１０４を開示した。
生体情報分析装置１０４は、血糖計１０１（生体情報測定装置）が測定した測定日時を伴う血糖値（生体情報）を受信して、測定値テーブル３１２に記憶する。また、生体情報分析装置１０４は、患者が手書きにて血糖値を記入したノート１０３をスキャナ１０５で読み込み、文字認識部３１３によって文字認識した結果であるスキャンデータ３１４を記憶する。生体情報分析装置１０４は、測定日と時間帯種別毎に測定値テーブル３１２とスキャンデータ３１４を突き合わせ、スキャンデータ３１４の、ノート１０３に血糖値が記入されていないレコード、ノート１０３に記入された血糖値が一致しているレコード、ノート１０３に記入された血糖値が一致していないレコードを特定する。そして、未記入のレコード数から未記入率を算出し、不一致のレコード数から不一致率を算出し、表示部１０７に表示させる。医師はこれらの数値を見ることで、患者の意識に応じた、的確な生活指導のための判断材料を得ることができる。
【００４５】
以上、本発明の実施形態例について説明したが、本発明は上記実施形態例に限定されるものではなく、特許請求の範囲に記載した本発明の要旨を逸脱しない限りにおいて、他の変形例、応用例を含む。
例えば、上記した実施形態例は本発明をわかりやすく説明するために装置及びシステムの構成を詳細かつ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加・削除・置換をすることも可能である。
また、上記の各構成、機能、処理部等は、それらの一部又は全部を、例えば集積回路で設計するなどによりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の揮発性あるいは不揮発性のストレージ、または、ＩＣカード、光ディスク等の記録媒体に保持することができる。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【００４６】
１０１…血糖計、１０２…表示部、１０３…ノート、１０４…生体情報分析装置、１０５…スキャナ、１０６…無線インターフェース、１０７…表示部、２０１…ＣＰＵ、２０２…ＲＯＭ、２０３…ＲＡＭ、２０４…ＲＴＣ、２０５…操作部、２０６…バス、２０７…Ａ／Ｄ変換器、２０８…増幅器、２０９…光学センサ、２１０…無線インターフェース、２１１…入出力制御部、２１２…測定値メモリ、２１３…機器情報、２１３ａ…モデル名、２１３ｂ…シリアルナンバー、２１４…測定日時、２１５…血糖値、２１６…食後フラグ、２１７…レコード、３０１…ＣＰＵ、３０２…ＲＯＭ、３０３…ＲＡＭ、３０４…不揮発性ストレージ、３０５…操作部、３０６…バス、３０７…ＵＳＢインターフェース、３１１…入出力制御部、３１２…測定値テーブル、３１３…文字認識部、３１４…スキャンデータ、３１５…患者マスタ、３１６…機器マスタ
【図１】
2015191257.tif 000003
【図２】
2015191257.tif 000004
【図３】
2015191257.tif 000005
【図４】
2015191257.tif 000006
【図５】
2015191257.tif 000007
【図６】
2015191257.tif 000008
【図７】
2015191257.tif 000009
【図８】
2015191257.tif 000010